(57)【要約】【課題】収納時における床占有面積を小さくすることができ、製造コスト及び輸送コストを低減することができるとともに、作業性が良いちり取りを提供する。【解決手段】略矩形の底板５、底板５の左右側辺及び後辺から立起する左右側壁６，６及び後壁７からなるちり受け３と、底板５の後端部上方で後壁７の前方に位置する左右方向軸Ｂまわりに回動可能にちり受け３に取り付けられた基端部９、基端部９から上方に延びる柄棒本体１０、柄棒本体１０の上端部後方に突設された把持部１１、及び、柄棒本体１０の上端部前方に突設された係合部１２Ａを備えたちり取り柄棒４とからなり、柄付き清掃具２の清掃具柄棒１４を係合部１２Ａに係合させることにより、柄付き清掃具２を支持することができるとともに、ちり取り柄棒４の基端部９に対してちり受け３を左右方向軸Ｂまわりに回動させて後壁７を底面とした状態で自立する。【選択図】図１
0003171376.tif 000002
【実用新案登録請求の範囲】
【請求項１】
使用状態平面視で略矩形の底板、前記底板の左右側辺及び後辺から立起する左右側壁及び後壁からなるちり受けと、前記底板の後端部上方で前記後壁の左右方向中央部前方に位置する左右方向軸まわりに回動可能に前記ちり受けに取り付けられた基端部、前記基端部から上方に延びる柄棒本体、前記柄棒本体の上端部後方に突設された把持部、及び、前記柄棒本体の上端部前方に突設された係合部を備えたちり取り柄棒とからなり、清掃体及びそれに連結された清掃具柄棒からなる柄付き清掃具の前記清掃具柄棒を前記係合部に係合させることにより、前記柄付き清掃具を支持することができるとともに、前記ちり取り柄棒の基端部に対して前記ちり受けを前記左右方向軸まわりに回動させて前記後壁を底面とした状態で自立するちり取り。
【請求項２】
前記柄付き清掃具の清掃具柄棒が伸縮可能なものであり、前記ちり取り柄棒の基端部に対して前記ちり受けを前記左右方向軸まわりに回動させて前記後壁を底面とし、前記清掃具柄棒を縮めた前記柄付き清掃具の清掃体を前記ちり受けに添わせた状態で、前記清掃具柄棒の長手方向の中間部分が前記係合部に係合するように、前記ちり取り柄棒の長さを設定してなる請求項１記載のちり取り。
【請求項３】
前記ちり取り柄棒下端部の前記基端部と前記柄棒本体とは螺着されて着脱可能なものであり、前記ちり取り柄棒上端部の前記把持部及び係合部は前記ちり取り柄棒の長手方向軸まわりに回動可能なものである請求項１又は２記載のちり取り。
【請求項４】
請求項１〜３の何れか１項に記載のちり取りと、その前記ちり取り柄棒の係合部に清掃具柄棒が係合する、清掃体及びそれに連結された清掃具柄棒からなる柄付き清掃具とからなるちり取り及び柄付き清掃具セット。
【考案の詳細な説明】
【技術分野】
【０００１】
本考案は、長尺の柄棒を有する柄付き清掃具を支持した状態で自立するちり取り、及び、前記ちり取りとそれに支持された柄付き清掃具とのセットに関するものである。
【背景技術】
【０００２】
長尺の柄棒を有する柄付き清掃具を支持した状態で自立するちり取りとそれに支持された柄付き清掃具とのセットとして、ちり取り本体の後部に立設された長尺の柄棒の上部にほうきの長尺の柄棒の上部を連結するもの（例えば、特許文献１参照。）、ちり取りが、前縁を掃き入れ縁とした略半円形の底板と、その前縁以外の端縁から立ち上がり、上方に行くにしたがって縮径する水平断面略半円弧状の側板と、側板の上部に形成され、底板と側板とで囲まれる空間とくびれ部を介して上方に連続し、かつ前方に開放部を有する支持空間を有する把持部とを備えたものであり、長尺の柄棒を有する柄付き清掃具の上端大径部を前記支持空間内へ収容して連結するもの（例えば、特許文献２参照。）等がある。
【０００３】
また、ちり取りが、ちり受け板の掃き込み部の反対側端部に板状のカバー部が回転可能に取り付けられ、カバー部の板面に沿って長尺の柄棒が取り付けられ、この柄棒の上端部に係止孔が形成されたものであり、この係止孔にほうきの長尺の柄棒の上端部に形成された係止部を挿入することにより連結され、カバー部に対してちり受け板を回転させた状態を保持することにより、カバー部とちり受け板との間にほうきの繊維を挟持するものもある（例えば、特許文献３参照。）。
これらのようなちり取り及び柄付き清掃具セットによれば、長尺の柄棒を有する柄付きほうきをちり取りに支持させて一体化することができることから、これらを一纏めにして取り扱うことができるため、持ち運びや収納の際に扱いやすいという特徴がある。
【先行技術文献】
【特許文献】
【０００４】
【特許文献１】特開２００１−１９８０６９号公報
【特許文献２】登録実用新案第３１１６２８５号公報
【特許文献３】実開平２−１４６５６０号公報
【考案の概要】
【考案が解決しようとする課題】
【０００５】
特許文献１及び２のようなちり取り及び柄付き清掃具セットは、ちり取りのちり入れ部（底板）を水平にした状態で収納するとともに、長尺の柄付き清掃具の上端部をちり取りにより支持する構成であるため、収納スペースが大きくなる。
その上、特許文献２のようなちり取り及び柄付き清掃具セットは、その構成上、長尺の柄付き清掃具を収容するために側板が上端部まで延びており、ちりを受けて収容するという必要機能に対してちり取りが不必要に大きいことから、ちり取りが占有するスペースが増大し、製造コスト及び輸送コストが増大するとともに、取り扱いがしにくい（作業性が悪い）ものである。
【０００６】
これらに対して特許文献３のようなちり取り及び柄付き清掃具セットは、カバー部に対してちり受け板を回転させた状態で収納することができるため収納時における床占有面積を小さくすることができる反面、長尺の柄付き清掃具の上端部を長尺のちり取りの柄棒の上端部により支持する構成であるため、高さ方向の占有スペースが大きくなる。
その上、柄棒が取り付けられた板状のカバー部をちり受け板の左右の支軸まわりに回転可能に取り付けており、その構造が比較的複雑であるとともにカバー部が大きいため、製造コストが増大する。
【０００７】
そこで本考案が前述の状況に鑑み、解決しようとするところは、収納時における床占有面積及び高さ方向の占有スペースを小さくすることができ、製造コスト及び輸送コストを低減することができるとともに、取り扱いがしやすい（作業性がよい）ちり取り並びにちり取り及び柄付き清掃具セットを提供する点にある。
【課題を解決するための手段】
【０００８】
本考案に係るちり取りは、前記課題解決のために、使用状態平面視で略矩形の底板、前記底板の左右側辺及び後辺から立起する左右側壁及び後壁からなるちり受けと、前記底板の後端部上方で前記後壁の左右方向中央部前方に位置する左右方向軸まわりに回動可能に前記ちり受けに取り付けられた基端部、前記基端部から上方に延びる柄棒本体、前記柄棒本体の上端部後方に突設された把持部、及び、前記柄棒本体の上端部前方に突設された係合部を備えたちり取り柄棒とからなり、清掃体及びそれに連結された清掃具柄棒からなる柄付き清掃具の前記清掃具柄棒を前記係合部に係合させることにより、前記柄付き清掃具を支持することができるとともに、前記ちり取り柄棒の基端部に対して前記ちり受けを前記左右方向軸まわりに回動させて前記後壁を底面とした状態で自立するものである。
【０００９】
このようなちり取りの構成によれば、柄付き清掃具の清掃具柄棒を係合部に係合させることにより支持することができることから、ちり取りと柄付き清掃具とを一纏めにして取り扱うことができるため、持ち運びや収納の際に扱いやすく、ちり取り柄棒の上端部後方に把持部が突設されていることから、この把持部を持って容易に移動させたり、把持部を持ちながらごみ収集作業を容易に行うことができる。
その上、ちり受けを回動させて後壁を底面とした状態で自立させることにより、収納時における床占有面積を小さくすることができる。
【００１０】
ここで、前記柄付き清掃具の清掃具柄棒が伸縮可能なものであり、前記ちり取り柄棒の基端部に対して前記ちり受けを前記左右方向軸まわりに回動させて前記後壁を底面とし、前記清掃具柄棒を縮めた前記柄付き清掃具の清掃体を前記ちり受けに添わせた状態で、前記清掃具柄棒の長手方向の中間部分が前記係合部に係合するように、前記ちり取り柄棒の長さを設定してなると好ましい。
このような構成によれば、清掃具柄棒を縮めた前記柄付き清掃具の清掃具柄棒の長手方向の中間部分が係合部に係合するようにちり取り柄棒の長さを設定していることから、ちり取り柄棒の長さが短くなって重心が低くなるため、柄付き清掃具を支持したちり取りが自立した状態をより安定させることができる。
その上、ちり取り柄棒の長さが短いため、製造コストを低減することができるとともに、ちり取り単体で収納する際や、伸縮可能な清掃具柄棒を縮めた状態でちり取りにより支持して収納する際における高さ方向の占有スペースを小さくすることができる。
【００１１】
また、前記ちり取り柄棒下端部の前記基端部と前記柄棒本体とは螺着されて着脱可能なものであり、前記ちり取り柄棒上端部の前記把持部及び係合部は前記ちり取り柄棒の長手方向軸まわりに回動可能なものであると好ましい。
このような構成によれば、ちり取り柄棒下端部の基端部と柄棒本体とが着脱可能であることから、ちり取り柄棒の柄棒本体から上側の部分を基端部から分離した状態で輸送することにより、スペース効率が高くなるため輸送コストを低減することができる。
その上、このように分離した状態で包装して店頭に陳列することにより、売り場の空間を有効活用することができる。
その上さらに、ちり取り柄棒上端部の把持部及び係合部がちり取り柄棒の長手方向軸まわりに回動可能なものであることから、ちり取り柄棒下端部の基端部と柄棒本体とを螺着して固定した状態で、ちり取り柄棒上端部の把持部が後方に延びるように位相を合わせることができる。特に、ちり取り柄棒上端部の把持部及び係合部が形成された部材を柄棒本体に嵌合する構成にすることにより、前記位相合わせを容易に行いながら、簡素な構成により製造コストを低減することができる。
【００１２】
本考案に係るちり取り及び柄付き清掃具セットは、前記ちり取りと、その前記ちり取り柄棒の係合部に清掃具柄棒が係合する、清掃体及びそれに連結された清掃具柄棒からなる柄付き清掃具とからなる。
【考案の効果】
【００１３】
以上のように、本考案に係るちり取り並びにちり取り及び柄付き清掃具セットによれば、ちり受けを回動させて後壁を底面とした状態で自立させることにより、収納時における床占有面積を小さくすることができ、ちり取り柄棒の長さを短くすることにより、製造コストを低減することができるとともに高さ方向の占有スペースを小さくすることができ、ちり取り柄棒の上端部後方の把持部を持って容易に移動させたり、把持部を持ちながらごみ収集作業を容易に行うことができ、ちり取り柄棒を分離した状態で輸送することにより、スペース効率が高くなるため輸送コストを低減することができるという顕著な効果を奏する。
【図面の簡単な説明】
【００１４】
【図１】本考案の実施の形態に係るちり取り及び柄付き清掃具セットを示す斜視図であり、ちり取り柄棒の基端部に対してちり受けを回動させて後壁を底面として自立している状態を示している。
【図２】図１の状態からちり受けを前方に回動させた状態を示す斜視図である。
【図３】図２の状態から柄付き清掃具を分離した状態を示す斜視図である。
【図４】（ａ）は柄付き清掃具を縮めた状態を、（ｂ）は柄付き清掃具を伸ばした状態を示す斜視図である。
【図５】ちり取り及び柄付き清掃具の分解斜視図である。
【図６】輸送又は店頭陳列用としてちり取り及び柄付き清掃具分解して一纏めにした状態を示す斜視図である。
【図７】ちり取り柄棒上端部の把持部及び係合部をちり取り柄棒の長手方向軸まわりに回動させた状態を示す斜視図である。
【図８】柄付き清掃具の変形例を示す斜視図である。
【考案を実施するための形態】
【００１５】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、ちり取りの使用状態において、ちり取り柄棒からちり受けのごみ掃き入れ縁に向かった状態で前後左右をいうものとする（この「前方」は、図中矢印Ａ参照。）。
【００１６】
図１〜図３の斜視図に示すように、本考案におけるちり取り１は、使用状態（例えば、図３参照。）における平面視で略矩形であり、前辺をごみ掃き入れ縁とした底板５、並びに、底板５の左右側辺及び後辺から立起する左右側壁（側板）６，６及び後壁（後板）７からなるちり受け３と、底板５の後端部上方で後壁７の左右方向中央部前方に位置する左右方向軸Ｂまわりに回動可能にちり受け３に取り付けられた基端部９、基端部９から上方に延びる柄棒本体１０及び柄棒本体１０の上端部後方に突設された把持部１１等を備えたちり取り柄棒４とからなる。
ちり受け３の底板５の後端部上側及び後壁７の左右方向中央部前側に位置して底板５及び後壁７に繋がる左右の支持板８，８の通孔８Ａ，８Ａに、ちり取り柄棒４の基端部９の左右側面に突設された突軸９Ｂ，９Ｂが嵌合するため、基端部９は、上述のとおり、ちり受け３に対して前記左右方向軸Ｂまわりに回動することができる。
【００１７】
ここで、基端部９の左右側面に突設された左右のガイド軸９Ｃ，９Ｃが支持板８，８に形成された略円弧状のガイド孔８Ｂ，８Ｂに係合するため、ちり受け３とちり取り柄棒４との相対的な回動範囲は、図１に示す基端部９に対してちり受け３を回動させて後壁７を底面として自立している状態と、図２に示すちり受け３を前方に回動させた状態との間の約９０°に規制される。
また、図３に示すように、柄棒本体１０の上端部前方には左右の支持突片１２，１２が突設されており、支持突片１２，１２間の係合部１２Ａに柄付き清掃具２の清掃具柄棒１４を係合させることにより、図１及び図２に示すように柄付き清掃具２を支持することができ、このように柄付き清掃具２を支持した状態でちり取り１は自立する。
【００１８】
図３に示すように、柄付き清掃具２は、清掃体１３及び清掃体１３に連結された清掃具柄棒１４からなり、清掃体１３は、基体１５及び基体１５に植設された刷毛１７により構成され、清掃具柄棒１４は、上下の太軸１９及び細軸２０並びに太軸１９の上端部に連結された把持部２１により構成される。なお、ちり取り１のちり受け３の右側壁６上面に形成された鋸歯部２３は、刷毛１７の毛先を整えるためのものである。
清掃具柄棒１４の太軸１９及び細軸２０は、いわゆる伸縮ポール式に伸縮可能に連結されており、図４（ａ）の斜視図のように縮めた状態から、細軸２０に対して太軸１９を図中矢印Ｃ方向に回転させることにより固定状態が解除されて、図４（ｂ）の斜視図のように伸ばすことができ、このようにして伸ばした後に、細軸２０に対して太軸１９を図４（ａ）の矢印Ｃ方向と逆方向に回転させることにより、太軸１９と細軸２０とが固定状態となり縮めることができなくなる。
同様に、清掃具柄棒１４を伸ばした状態から縮める作業も、太軸１９及び細軸２０を長手方向軸（軸芯）まわりに相対的に回転することにより行うことができる。
なお、このように伸縮可能な柄付き清掃具２の清掃具柄棒１４を縮め、図１に示すように、ちり取り柄棒４の基端部９に対してちり受け３を左右方向軸Ｂまわりに回動させ、ちり受け３の後壁７を底面とし、柄付き清掃具２の清掃体１３をちり受け３に添わせた状態で、清掃具柄棒１４の長手方向の中間部分が支持突片１２，１２間の係合部１２Ａに係合するように、ちり取り柄棒４（柄棒本体１０）の長さを設定している。
【００１９】
図５の分解斜視図において、ちり取り１の柄棒本体１０はその下端のねじ軸１０Ａが例えばポリプロピレン又はポリアセタール等の合成樹脂製であり、ねじ軸１０Ａを除き、例えばアルミニウム又はスチール等の金属製であり、ちり取り１のその他の部分は合成樹脂製である。
また、柄付き清掃具２の太軸１９及び細軸２０（下端のねじ軸２０Ａを除く）は例えばアルミニウム又はスチール等の金属製であり、これらと刷毛１７以外の柄付き清掃具２の部分は、例えばポリプロピレン又はポリアセタール等の合成樹脂製である。
ここで、左右の支持突片１２，１２は左右方向の厚みが比較的薄いとともに合成樹脂製であることから左右方向に弾性変形しやすいため、支持突片１２，１２を弾性変形させて、支持突片１２，１２間の係合部１２Ａに図１及び図２のように清掃具柄棒１４（例えば太軸１９）を係合させて支持させること、及び、図３のように前記係合を解除して柄付き清掃具２をちり取り１から取り外すことを容易に行うことができる。
なお、支持突片１２，１２を弾性変形させて支持突片１２，１２間（係合部１２Ａ）に清掃具柄棒１４を係合させる構成（弾性係合させる構成）ではなく、清掃具柄棒１４に鍔部を突設しておき、この鍔部の下面を支持突片１２，１２の上面により支持して係合させる構成等としてもよい。
【００２０】
図５に示すように、柄棒本体１０下端のねじ軸１０Ａを基端部９のねじ孔９Ａに螺合することにより柄棒本体１０は基端部９に連結され、把持部１１及び係合部１２Ａが形成された部材は、柄棒本体１０の上端部に嵌合（外嵌）され、これらの取外し（分解）も容易である。
また、清掃具柄棒１４の細軸２０下端のねじ軸２０Ａを清掃体１３の基体１５のねじ孔１５Ａに螺合することにより、清掃具柄棒１４は清掃体１３に連結され、これらの取外し（分解）も容易である。
よって、図５のように分解した状態で、図６の斜視図に示すように、コンパクトに纏めた状態で輸送や店頭陳列を行うことができ、ちり受け３の右側壁６後部上面に形成した凹部２２に清掃具柄棒１４の把持部２１を係合させることにより、輸送の際等における清掃具柄棒１４のガタツキを防止することができる。
なお、柄棒本体１０と把持部１１及び係合部１２Ａが形成された部材とを連結してもこれらは嵩張らないため、図６の例では、柄棒本体１０と把持部１１及び係合部１２Ａが形成された部材とを連結した状態としている。
【００２１】
以上のような構成によれば、柄付き清掃具２の清掃具柄棒１４をちり取り１の係合部１２Ａに係合させることにより支持することができることから、ちり取り１と柄付き清掃具２とを一纏めにして取り扱うことができるため、持ち運びや収納の際に扱いやすく、ちり取り柄棒４の上端部後方に把持部１１が突設されていることから、把持部１１を持って容易に移動させたり、把持部１１を持ちながらごみ収集作業を容易に行うことができる。
また、ちり受け３を左右方向軸Ｂまわりに回動させてちり受け２の後壁７を底面とした状態で自立させることにより、収納時における床占有面積を小さくすることができる。
【００２２】
さらに、柄付き清掃具２の清掃具柄棒１４が伸縮可能なものであり、清掃具柄棒１４を縮めた柄付き清掃具２の清掃具柄棒１４の長手方向の中間部分がちり取り１の係合部１２Ａに係合するようにちり取り柄棒４（柄棒本体１０）の長さを設定していることから、ちり取り柄棒４の長さが短くなって重心が低くなるため、柄付き清掃具２を支持したちり取り２が自立した状態をより安定させることができる。
さらにまた、ちり取り柄棒４の長さが短いため、製造コストを低減することができるとともに、ちり取り１を単体で収納する際や、伸縮可能な清掃具柄棒１４を縮めた状態でちり取り１により支持して収納する際における高さ方向の占有スペースを小さくすることができる。
また、ちり取り柄棒４下端部の基端部９と柄棒本体１０とが着脱可能であることから、ちり取り柄棒４の柄棒本体１０から上側の部分を基端部９から分離した状態で輸送することにより、スペース効率が高くなるため輸送コストを低減することができる。
さらに、このように分離した状態で包装して店頭に陳列することにより、売り場の空間を有効活用することができる。
【００２３】
さらにまた、上述のとおり把持部１１及び係合部１２Ａが形成された部材が柄棒本体１０の上端部に嵌合されていることから、図７の矢印Ｄに示すようにちり取り柄棒４上端部の把持部１１及び係合部１２Ａはちり取り柄棒４の長手方向軸まわりに回動可能なものである。
したがって、ちり取り柄棒４下端部の基端部９のねじ孔９Ａと柄棒本体１０下端のねじ軸１０Ａ（図５参照。）とを螺合して固定した状態で、ちり取り柄棒４上端部の把持部１１が後方に延びるように位相を合わせることができ、特に、図５に示すようにちり取り柄棒４上端部の把持部１１及び係合部１２Ａが形成された部材を柄棒本体１０に嵌合する構成にすることにより、前記位相合わせを容易に行いながら、簡素な構成により製造コストを低減することができる。
【００２４】
以上の説明においては、清掃具柄棒１４と連結される清掃体１３が基体１５及び基体１５に植設された刷毛１７により構成される場合を示したが、清掃体１３は、このような構成に限定されるものではなく、図８に示すような基体１６及び基体１６に直接又クッション材等の別部材を介して取り付けられた拭布１８等により構成してもよく、ごみを掃いたり拭いたりする機能を有するものであればよい。
【符号の説明】
【００２５】
Ａ  前方
Ｂ  左右方向軸
１  ちり取り
２  柄付き清掃具
３  ちり受け
４  ちり取り柄棒
５  底板
６  側壁
７  後壁
８  支持板
８Ａ  通孔
８Ｂ  ガイド孔
９  基端部
９Ａ  ねじ孔
９Ｂ  突軸
９Ｃ  ガイド軸
１０  柄棒本体
１０Ａ  ねじ軸
１１  把持部
１２  支持突片
１２Ａ  係合部
１３  清掃体
１４  清掃具柄棒
１５，１６  基体
１５Ａ  ねじ孔
１７  刷毛
１８  拭布
１９  太軸
２０  細軸
２０Ａ  ねじ軸
２１  把持部
２２  凹部
２３  鋸歯部
【図１】
0003171376.tif 000003
【図２】
0003171376.tif 000004
【図３】
0003171376.tif 000005
【図４】
0003171376.tif 000006
【図５】
0003171376.tif 000007
【図６】
0003171376.tif 000008
【図７】
0003171376.tif 000009
【図８】
0003171376.tif 000010